(57)【特許請求の範囲】
【請求項１】
内部に物品Ｗを収納する物品収納ケース１であって、ケース内に配置される軟質チューブ３０に空気を供給して該軟質チューブ３０を膨張させることで前記収納された物品Ｗを固定状態に保持するようにしたものにおいて、本体ケース１０の基台１１に対して、物品Ｗを収納する複数の物品収容凹所１５を構成すると共に該物品収容凹所１５の各列の間に前記軟質チューブ３０を嵌め込むためのチューブ嵌合溝１６を構成し、且つチューブ嵌合溝１６が前記物品収容凹所１５に近接する部分に相互に連通する開放空間Ｓを構成し、軟質チューブ３０をチューブ嵌合溝１６から前記開放空間Ｓを介して物品収容凹所１５内へ膨張させることで、物品収容凹所１５に収納された物品を押し付けて固定状態に保持させるようにしたことを特徴とする物品収納ケース。
【請求項２】
チューブ嵌合溝１６から開放空間Ｓを介して物品収容凹所１５に臨む軟質チューブ３０部分の表面にパッド３３を設けて、軟質チューブ３０の膨張時における物品Ｗに対する押し付け固定効果を増大させるようにした請求項１に記載の物品収納ケース。
【発明の詳細な説明】
【０００１】
【発明の属する技術分野】
本発明は物品の収納ケースに関する。
【０００２】
【従来の技術】
従来、機械部品やその他の物品を運搬する場合、物品を収納ケースに入れ、更に物品の周囲にクッション材を詰め込んで部品が動かないようにして運搬するのが一般的であった。
【０００３】
【発明が解決しようとする課題】
しかしながら上記した従来の収納ケースの場合、被収納品である物品をクッション材だけで十分に固定するのは難しく、運搬中に収納ケース内で動いて破損したり、傷が生じたりする問題があった。
また物品を収納ケースに収納して隙間等を埋めるためには、クッション材を用意したり、或いは多数を扱う場合にはクッション材を予めどこかに保管しておく必要があり、またクッション材を物品の周囲の隙間に詰め込むための時間と人手のかかる詰め込み作業が必要となり、更に物品を収納ケースから取り出す際には残ったクッション材が邪魔になり、廃棄するか或いは次に使うまでどこかに置いておかねばならないという、面倒で且つコストがかかる欠点があった。
【０００４】
そこで本発明は上記従来の欠点を解消し、邪魔なクッション材やその詰め込みの為の作業を必要とすることなく、物品の収納及び固定が迅速且つ確実に行え、また運搬中の衝撃による破損等から十分に物品を守ることができ、物品の取り出しも容易、迅速に行うことができる物品収納ケースの提供を課題とする。
【０００５】
【課題を解決するための手段】
上記課題を解決する本発明の物品収納ケースは、内部に物品Ｗを収納する物品収納ケース１であって、ケース内に配置される軟質チューブ３０に空気を供給して該軟質チューブ３０を膨張させることで前記収納された物品Ｗを固定状態に保持するようにしたものにおいて、本体ケース１０の基台１１に対して、物品Ｗを収納する複数の物品収容凹所１５を構成すると共に該物品収容凹所１５の各列の間に前記軟質チューブ３０を嵌め込むためのチューブ嵌合溝１６を構成し、且つチューブ嵌合溝１６が前記物品収容凹所１５に近接する部分に相互に連通する開放空間Ｓを構成し、軟質チューブ３０をチューブ嵌合溝１６から前記開放空間Ｓを介して物品収容凹所１５内へ膨張させることで、物品収容凹所１５に収納された物品Ｗを押し付けて固定状態に保持させるようにしたことを第１の特徴としている。
また本発明の物品収納ケースは、上記請求項１の特徴に加えて、チューブ嵌合溝１６から開放空間Ｓを介して物品収容凹所１５に臨む軟質チューブ３０部分の表面にパッド３３を設けて、軟質チューブ３０の膨張時における物品Ｗに対する押し付け固定効果を増大させるようにしたことを第２の特徴としている。
【０００６】
【発明の実施の形態】
以下、本発明の実施形態を図１〜８を参照しながら更に説明する。
図１は本発明の実施形態に係る物品収納ケースの閉じた状態の正面図、図２は同じく物品収納ケースの閉じた状態の平面図、図３は図２のＡ−Ａ断面図、図４は図１をＢ−Ｂ方向からみた図（本体ケースのカバーシートを取った状態）で、軟質チューブについてはこれを断面で表してなる図である。図５は図２をＣ−Ｃ方向から見た断面図、図６は空気の給排気通路の配管系統図、図７は軟質チューブの取り付け部の詳細を示す断面図、図８は軟質チューブのパッド付近の詳細断面図である。
【０００７】
先ず図１、図２を参照して、物品収納ケース１は、本体ケース１０と上ケース２０とからなる。上ケース２０は本体ケース１０に対して蝶番２で開閉され、留め金３を掛けることで閉止状態に保持される。また取手４を持って手で持ち運びできる。
【０００８】
図３を参照して、本体ケース１０は、基台１１と、側板１２と、接続部取り付け板１３と、着脱自在のカバーシート１４とを少なくとも有し、前記上ケース２０はケース板２１とその裏に張られたクッション２２とを少なくとも有する。
【０００９】
図４〜８も参照して、前記本体ケース１０の基台１１には、物品Ｗを収容するための物品収容凹所１５と、後述する軟質チューブ３０を嵌め込むためのチューブ嵌合溝１６と、後述する空気給排気配管４０を配置するための配管用凹所１７とを設けている。
前記物品収容凹所１５は、物品Ｗを収容するための凹所で、複数を縦横に一定の間隔で規則正しく配して、基台１０に構成している。
前記チューブ嵌合溝１６は、軟質チューブ３０を嵌め込むチューブ嵌合ガイドとして、物品収容凹所１５の各横列の間に、近接して直線状に配して構成している。
そして前記チューブ嵌合溝１６と物品収容凹所１５とが相互に最も近接する部分には、相互に連通して開放される開放空間Ｓを構成している（図８参照）。
前記配管用凹所１７は、基台１１の片側に沿って設けられ、凹所１７の側端には側板１２が当てがわれて相互に固定されている。この配管用凹所１７に空気給排気通路手段を構成する空気給排気配管４０が収容配置される。
【００１０】
前記軟質チューブ３０はゴム製やプラスチック製のチューブとし、チューブ内孔内の圧力が増加することで側方に膨らむことができるものとし、前記基台１１のチューブ嵌合溝１６に嵌め込まれる。
軟質チューブ３０のうち前記接続部取り付け板１３に近いほうの先端部は、図７を参照して、スリーブナット３１が嵌め合わされ、このスリーブナット３１が接続部取り付け板１３に固定されたロックナット１３ａに螺合されることで連結固定される。そして軟質チューブ３０の接続部取り付け板１３に近いほうの先端部は前記連結固定された状態で、接続部取り付け板１３及びロックナット１３ａを貫通して固定されている前記空気給排気配管４０のエアー継ぎ手４１の突出接合管４１ａと連通する。これによって、空気給排気配管４０を通って空気が軟質チューブ３０内に供給される。軟質チューブ３０の後端部は、同様にスリーブナット３２が嵌め合わされ、このスリーブナット３２が本体ケース１０の側板１２に固定されたロックナット１３ｂに螺合されることで結合固定される（図４参照）。前記ロックナット１３ｂは袋ナットとされて、軟質チューブ３０の後端部を機密に閉塞する。
軟質チューブ３０の途中にはパッド３３が取り付けられている。このパッド３３は、図８も参照して、前記物品収容凹所１５とチューブ嵌合溝１６とが相互に連通開放される前記開放空間Ｓに対応する位置にそれぞれ取り付けられる。パッド３３は物品Ｗを傷つけないようにゴムやプラスチックからなる軟質材で構成し、軟質チューブ３０に嵌め合わされる等して固定される。このパッド３３の外表面には物品Ｗに当接した際に物品を安定して押圧保持できるような凹凸模様を形成することができる。パッド３３を設けることで、軟質チューブ３０と物品Ｗとの非膨張時における隙間を減らし或いは無くし、軟質チューブ３０の少ない膨張で確実に物品Ｗを押圧して、物品Ｗを物品収容凹所１５内に固定保持することができる。
【００１１】
前記空気給排気通路手段を構成する空気給排気配管４０は、図４、図６を参照して、前記エアー継ぎ手４１の他、エアーチューブ４２、分岐継ぎ手４３、減圧弁４４、逆止弁４５、押しボタン式排気弁４６、及び給気口部４７と排気口部４８とを有する。
前記給気口部４７と排気口部４８とは空気の給排気口として、図１及び図４にも示すように、物品収納ケース１の前記取手４が設けられている本体ケース１０の外側面の凹み部５に突出するようにして、外部に臨んでいる。これによって外部から容易に圧縮空気を供給し、また外部へ容易に排気ができる。
また前記押しボタン式排気弁４６の押しボタン４６ａを前記凹み部５に突出した排気口部４８に設けることで、物品収納ケース１外から前記押しボタン４６ａを押すことで、容易に排気することができる。
【００１２】
今、物品収納ケース１を開き、収納されるべき物品Ｗを各物品収容凹所１５に収容した状態とした後において、備え付け或いは携帯の圧縮空気源からの端末接続部を給気口部４７に当てがうと、圧縮空気が逆止弁４５を介して供給され、減圧弁４４を介して適当に減圧され、エアーチューブ４２、分岐継ぎ手４３、エアー継ぎ手４１を介して各軟質チューブ３０内に供給される。これによって軟質チューブ３０が膨張し、パッド３３が物品収容凹所１５内の物品Ｗを押圧して押し付け、物品収容凹所１５内に固定状態に保持する。この状態で物品収納ケース１を閉め（空気を供給する前に閉めてもよい）ると、即、運搬等を行うことができる。運搬等が終了して物品Ｗを物品収容ケース１から取り出す場合は、凹み部５にある排気口部４８の押しボタン４６ａを外から押すことで、軟質チューブ３０内の空気が物品収容ケース１外に排気され、軟質チューブ３０の膨張が解かれて、物品Ｗの押圧固定が解かれる。よって、物品収納ケース１を開いて物品Ｗを容易に取り出すことができる。
【００１３】
本発明の物品収納ケース１は、例えば工場内での現場間、或いは工場間での部品などをやりとりする為の通い箱として、また製造会社、卸売会社、小売会社間で製品や商品をやりとりをする為の通い箱、その他、物品の流通がなされる拠点間での通い箱として好ましく用いることができる。
上記した実施形態において、物品収容凹所１５は複数を横列及び縦列に整列させて配置したが、必ずしも横列及び縦列に整列させる必要は無く、千鳥状やその他の種々の配置構成が可能である。但し、横列及び縦列に整列させることで、直線状の軟質チューブ３０の配置が容易に行える。
また各物品収容凹所１５は、この実施形態では円柱形の凹所１５としているが、この形状に限定されるものではなく、三角柱、四角柱、多角柱、半球状のもの、底が球状になったもの、その他の種々の形状が可能である。要するに、収容される物品Ｗが収容されやすく、取り出しやすく、且つ軟質チューブ３０の膨張によって押圧固定がなされやすい形状とする。勿論、２種或いはそれ以上の異なる形状の凹所１５を混在させて設けてもよい。
【００１４】
前記チューブ嵌合溝１６は、チューブ嵌合ガイドとして、軟質チューブ３０をその溝内に嵌め込んで安定させると共に、軟質チューブ３０のうち膨張する部分が無秩序に膨張してしまわないように、周りからガイドし、保護する役割を果すものであるから、その機能を果すものであれば必ずしも溝である必要はなく、基台１１に形成された嵌合穴であってもよい。また基台１１とは関係なく独立して構成された硬質のパイプ状のものとし、そのパイプ内孔に軟質チューブ３０を装入するようにしたものとすることも可能である。
また前記チューブ嵌合溝１６は、物品収容凹所１５の各横列間に横列配置されているが、先頭横列の前と最終横列の後ろにチューブ嵌合溝を設けてもよい。またチューブ嵌合溝１６は横列配置ではなく縦列配置としてもよい。更にチューブ嵌合溝１６を縦横に設けることで、軟質チューブ３０を縦横に配するようにすることも可能である。
【００１５】
【発明の効果】
本発明は以上の構成、作用よりなり、請求項１に記載の物品収納ケースによれば、内部に物品を収納する物品収納ケースであって、ケース内に配置される軟質チューブに空気を供給して該軟質チューブを膨張させることで前記収納された物品を固定状態に保持するようにしたものにおいて、本体ケースの基台に対して、物品を収納する複数の物品収容凹所を構成すると共に該物品収容凹所の各列の間に前記軟質チューブを嵌め込むためのチューブ嵌合溝を構成し、且つチューブ嵌合溝が前記物品収容凹所に近接する部分に相互に連通する開放空間を構成し、軟質チューブをチューブ嵌合溝から前記開放空間を介して物品収容凹所内へ膨張させることで、物品収容凹所に収納された物品を押し付けて固定状態に保持させるようにしたので、
物品の収納に際しては、邪魔なクッション材やその詰め込み作業を一切不要として、外部から空気を供給するだけで、瞬時的に物品の固定を行うことができる。
そして軟質チューブに十分空気を供給させることで、物品を確実に固定状態になるまで押圧して保持することができるので、運搬中の衝撃による破損等からも十分に物品を守ることができる。
更に物品の取り出しの際には、軟質チューブの空気を抜くことで、容易且つ迅速に物品を物品収容凹所から取り出すことができる。
また請求項２に記載の物品収納ケースによれば、上記請求項１に記載の構成による効果に加えて、チューブ嵌合溝から開放空間を介して物品収容凹所に臨む軟質チューブ部分の表面にパッドを設けて、軟質チューブの膨張時における物品に対する押し付け固定効果を増大させるようにしたので、
パッドを設けることにより軟質チューブと物品との非膨張時における隙間を減らし或いは無くし、軟質チューブの少ない膨張で確実に物品を押圧して、物品を物品収容凹所内に固定・保持することができ、物品に対する押し付け固定効果を一層増大させることができる。
【図面の簡単な説明】
【図１】本発明の実施形態に係る物品収納ケースの閉じた状態の正面図である。
【図２】同じく物品収納ケースの閉じた状態の平面図である。
【図３】図２のＡ−Ａ断面図である。
【図４】図１をＢ−Ｂ方向からみた図（本体ケースのカバーシートを取った状態）で、軟質チューブについてはこれを断面で表してなる図である。
【図５】図２をＣ−Ｃ方向から見た断面図である。
【図６】空気の給排気通路の配管系統図である。
【図７】軟質チューブの取り付け部の詳細を示す断面図である。
【図８】軟質チューブのパッド付近の詳細断面図である。
【符号の説明】
１  物品収納ケース
１０  本体ケース
１１  基台
１２  側板
１３  接続部取り付け板
１３ａ、１３ｂ  ロックナット
１４  カバーシート
１５  物品収容凹所
１６  チューブ嵌合溝
１７  配管用凹所
２０  上ケース
２１  ケース板
２２  クッション
３０  軟質チューブ
３１、３２  スリーブナット
３３  パッド
４０  空気給排気配管
４１  エアー継ぎ手
４１ａ  突出接合管
４２  エアーチューブ
４３  分岐継ぎ手
４４  減圧弁
４６  押しボタン式排気弁
４６ａ  押しボタン
４７  給気口部
４８  排気口部
Ｗ  物品
Ｓ  開放空間
【図１】
0003807923.tif 000002
【図２】
0003807923.tif 000003
【図３】
0003807923.tif 000004
【図４】
0003807923.tif 000005
【図５】
0003807923.tif 000006
【図６】
0003807923.tif 000007
【図７】
0003807923.tif 000008
【図８】
0003807923.tif 000009